(57)【要約】【課題】受信信号の強弱を検出して局部発振回路の電流を最適値に設定することにより、簡単な構成で局部発振回路の低消費電流化を実現すること。【解決手段】復調回路１０１がアンテナから入力されたＲＦ信号をＩｃｈ、Ｑｃｈの互いに直交したベースバンド信号に復調し、フィルタ回路１０２がＩｃｈ、Ｑｃｈそれぞれのベースバンド信号から妨害波のみを抑圧して利得制御回路１０４へ入力する。利得制御回路１０４はレベルを一定に保持したベースバンド信号をベースバンド信号処理回路１０３へ入力する。局部発振回路１０５は復調回路１０１へローカル信号を供給する。このとき、局部発振回路１０５の電流源は利得制御回路１０４の利得を制御するための制御信号と連動して可変させる。このようにして局部発振回路１０５の電流を可変させることによりＣ／Ｎを変化させ、局部発振回路１０５の平均電力を低減させる。【選択図】図１
2007142679.tif 000002
【特許請求の範囲】
【請求項１】
受信信号を復調してベースバンド信号に変換する復調回路と、
前記ベースバンド信号をディジタル信号に変換処理するベースバンド信号処理回路と、
前記復調回路にローカル信号を供給する局部発振回路と、
前記ベースバンド信号処理回路に入力される前記ベースバンド信号のレベルを一定に保持する利得制御回路と、
前記ベースバンド信号処理回路に入力される妨害波のレベルを抑圧するフィルタ回路と、
前記ベースバンド信号処理回路に入力される前記ベースバンド信号のレベルを検出して前記利得制御回路の利得を設定する利得設定データに変換する第１の制御Ｉ／Ｆ回路と、
を備える受信機であって、
前記第１の制御Ｉ／Ｆ回路が、前記利得設定データと連動させて、前記受信信号の強弱により前記局部発振回路の電流を可変してＣ／Ｎを変化させ、前記局部発振回路の平均電力を低減させることを特徴とする受信機。
【請求項２】
さらに、妨害波のレベルを検出する妨害波レベル検出回路を備え、
前記第１の制御Ｉ／Ｆ回路が、前記利得設定データと連動させて、前記受信信号の強弱および前記妨害波レベル検出回路で検出された妨害波のレベルの強弱により、前記局部発振回路の電流を可変してＣ／Ｎを変化させ、前記局部発振回路の平均電力を低減させることを特徴とする請求項１に記載の受信機。
【請求項３】
受信信号を復調してベースバンド信号に変換する復調回路と、
前記ベースバンド信号をディジタル信号に変換処理するベースバンド信号処理回路と、
前記復調回路にローカル信号を供給する局部発振回路と、
前記ベースバンド信号処理回路に入力される前記ベースバンド信号のレベルを一定に保持する利得制御回路と、
前記ベースバンド信号処理回路に入力される妨害波のレベルを抑圧するフィルタ回路と、
前記ベースバンド信号処理回路に入力される前記ベースバンド信号のレベルを検出して前記利得制御回路の利得を設定する利得設定データに変換する第１の制御Ｉ／Ｆ回路と、
を備える受信機であって、
さらに、前記ベースバンド信号処理回路が算出した受信信号品質データを取得し、その受信信号品質データによって前記局部発振回路の電流値を設定するデータに変換する第２の制御Ｉ／Ｆ回路を備え、
前記第２の制御Ｉ／Ｆ回路が、前記受信信号品質データにより、前記局部発振回路の電流を可変してＣ／Ｎを変化させ、前記局部発振回路の平均電力を低減させることを特徴とする受信機。
【発明の詳細な説明】
【技術分野】
【０００１】
本発明は、ディジタル移動体通信システムで用いられる携帯電話機などに適用される受信機に関する。
【背景技術】
【０００２】
図８は、ディジタル移動体通信システムで用いられる従来の受信機の一例を示すブロック図である。この受信機は、アンテナから入力されたＲＦ（Radio Frequency：無線周波数）信号をＩｃｈとＱｃｈの互いに直交したベースバンド信号に復調する復調回路１と、ＩｃｈとＱｃｈのそれぞれのベースバンド信号から妨害波のみを抑圧するフィルタ回路２と、復調回路１で復調されたベースバンド信号をディジタル信号に変換処理するベースバンド信号処理回路３と、ベースバンド信号処理回路３の内部に含まれるＡ／Ｄコンバータに入力するベースバンド信号のレベルを一定に保つように制御を行う利得制御回路４と、復調回路１にローカル信号を供給する局部発振回路５と、ベースバンド信号処理回路３に入力されるベースバンド信号のレベルを検出して利得制御回路４の利得設定データに変換する制御Ｉ／Ｆ回路６とを備えている。
【０００３】
このような構成により、通常、復調回路１では、希望波がローカル信号で周波数変換されてベースバンド信号に復調されるのと同時に、妨害波もベースバンド帯域に周波数変換される。このとき、ローカル信号に重畳された位相雑音等のノイズ信号（以降、このようなノイズ信号を位相ノイズ信号という）は、復調動作が行われる際に周波数変換された妨害波に重畳され、その位相ノイズ信号の広がりが希望波の帯域に達することで希望波のＳ／Ｎ（Sound Noise Ratio）を劣化させる。これが受信信号の品質劣化の要因となるので、局部発振回路５のＣ／Ｎ（Carrier Noise Ratio）を充分に高い値に確保する必要がある。
【０００４】
局部発振回路のＣ／Ｎを劣化させないで充分に高い値に確保する技術は種々知られている。例えば、中間周波フィルタの周波数ずれを検出し、周波数制御により局部発振器の周波数を可変することで中間周波フィルタの周波数ずれを補正してＣ／Ｎの劣化を防いだり、復調器の動作クロックを同時に可変することで中間周波フィルタの周波数ずれを補正してＣ／Ｎの劣化を防いだりする技術などが知られている（例えば、特許文献１参照）。
【特許文献１】特開平９−２４７０３０号公報
【発明の開示】
【発明が解決しようとする課題】
【０００５】
近年、移動体通信システムの移動機（例えば、携帯電話機など）においては、小型化や低コスト化に加えて低消費電力化が強く要望されている。しかしながら、上記従来技術においては、ノイズ防止の目的のために局部発振回路のＣ／Ｎを充分に高い値に確保するためには、局部発振回路自体に流れる電流を充分に大きくする必要がある。つまり、ノイズ防止対策と局部発振回路の低電流化はトレイドオフの関係にある。したがって、従来の受信機では、ノイズ防止対策が低電流化の大きな妨げとなって、更なる低消費電力化を行うことができない。
【０００６】
本発明はかかる点に鑑みてなされたものであり、受信信号の強弱を検出して局部発振回路に流れる電流を最適な値に設定することにより、簡単な構成で局部発振回路の低消費電流化が実現できる受信機を提供することを目的とする。
【課題を解決するための手段】
【０００７】
本発明の受信機は、受信信号を復調してベースバンド信号に変換する復調回路と、ベースバンド信号をディジタル信号に変換処理するベースバンド信号処理回路と、復調回路にローカル信号を供給する局部発振回路と、ベースバンド信号処理回路に入力されるベースバンド信号のレベルを一定に保持する利得制御回路と、ベースバンド信号処理回路に入力される妨害波のレベルを抑圧するフィルタ回路と、ベースバンド信号処理回路に入力されるベースバンド信号のレベルを検出して利得制御回路の利得を設定する利得設定データに変換する第１の制御Ｉ／Ｆ回路とを備える受信機であって、第１の制御Ｉ／Ｆ回路が、利得設定データと連動させて、受信信号の強弱により局部発振回路の電流を可変してＣ／Ｎを変化させ、局部発振回路の平均電力を低減させる構成を採っている。
【０００８】
さらに、妨害波のレベルを検出する妨害波レベル検出回路を備え、第１の制御Ｉ／Ｆ回路が、利得設定データと連動させて、受信信号の強弱及び妨害波レベル検出回路で検出された妨害波のレベルの強弱により、局部発振回路の電流を可変してＣ／Ｎを変化させ、局部発振回路の平均電力を低減させる構成を採ることもできる。又は、第１の制御Ｉ／Ｆ回路とは別に、ベースバンド信号処理回路が算出した受信信号品質データを取得し、その受信信号品質データによって局部発振回路の電流値を設定するデータに変換する第２の制御Ｉ／Ｆ回路を備え、第２の制御Ｉ／Ｆ回路が、受信信号品質データにより局部発振回路の電流を可変してＣ／Ｎを変化させ、局部発振回路の平均電力を低減させる構成を採ることもできる。もちろん、この場合は、第１の制御Ｉ／Ｆ回路には利得設定データの変換機能のみを持たせればよい。
【０００９】
すなわち、本発明の受信機によれば、利得制御回路の利得を制御するための制御信号と連動させて局部発振回路の動作電流を可変し、局部発振回路のＣ／Ｎを変化させている。または、復調回路の出力側で検出された妨害波のレベルに応じて、あるいはベースバンド信号処理回路で算出された受信信号品質データに応じて、局部発振回路の動作電流を可変してＣ／Ｎを変化させている。その結果、局部発振回路のＣ／Ｎを充分に高いレベルに確保しながら平均電力を低減させることができる。
【発明の効果】
【００１０】
本発明の受信機によれば、利得制御回路への制御信号と局部発振回路の電流変化を連動させることにより、ディジタル移動体通信システムに要求されるベースバンド信号処理回路の入力端でのＳ／Ｎを良好な値に確保しつつ局部発振回路のＣ／Ｎを最適な値とすることで、比較的簡単な構成により受信機の消費電流の低減化を実現させることができる。さらに、妨害波レベル検出回路によって妨害波のレベルを検出することで、利得制御回路の動作状態による局部発振回路の電流調整に加え、妨害波の発生状態によって局部発振回路の電流調整を行うことが可能となる。これによって、より緻密な局部発振回路の電流制御を行うことができ、その結果、受信機のノイズ対策を行いながら消費電流のさらなる低減化を実現させることができる。また、ベースバンド信号処理回路で受信信号のＳ／Ｎなどからその受信信号品質データを算出することができるディジタル移動体通信システムの場合は、その受信信号品質データの算出結果を局部発振回路の電流制御に連動させることにより、比較的簡素な方法で受信機の低ノイズ化と省電力化の両方を実現させることができる。
【発明を実施するための最良の形態】
【００１１】
〈発明の概要〉
本発明の受信機は、利得制御回路の利得を制御するための制御信号と連動させて局部発振回路の動作電流を可変して局部発振回路のＣ／Ｎを変化させている。または、復調回路の出力側で検出された妨害波のレベルに応じて、あるいはベースバンド信号処理回路で算出された受信信号品質データに応じて、局部発振回路の動作電流を可変してＣ／Ｎを変化させている。このようにして、受信信号の強弱を検出して局部発振回路に流れる電流を最適な値に設定することにより、簡単な回路構成で局部発振回路の平均電流を低減させ、低消費電流化と低ノイズ化の両方を実現させることができる。
【００１２】
以下、図面を用いて、本発明の受信機について幾つかの実施の形態を詳細に説明する。尚、各実施の形態で用いる図面において、同一の構成要素は同一の符号を付し、かつ重複する説明は可能な限り省略する。
【００１３】
〈実施の形態１〉
図１は、本発明の実施の形態１における受信機の構成を示すブロック図である。図１に示す実施の形態１の受信機は、図示しないアンテナから入力されたＲＦ信号をＩｃｈとＱｃｈの互いに直交したベースバンド信号に復調する復調回路１０１と、ＩｃｈとＱｃｈのそれぞれのベースバンド信号から妨害波のみを抑圧するフィルタ回路１０２と、復調回路１０１で復調されたベースバンド信号をディジタル信号に変換処理するベースバンド信号処理回路１０３と、ベースバンド信号処理回路１０３の内部に含まれるＡ／Ｄコンバータに入力するベースバンド信号のレベルを一定に保つように制御を行う利得制御回路１０４と、復調回路１０１にローカル信号を供給する局部発振回路１０５と、ベースバンド信号処理回路１０３に入力されるベースバンド信号のレベルを検出して利得制御回路１０４の利得設定データに変換する第１の制御Ｉ／Ｆ回路１０６とを備えている。そして、第１の制御Ｉ／Ｆ回路１０６が、利得設定データと連動させて、受信信号の強弱によって局部発振回路１０５の動作電流を変化させるように構成されている。これによって、局部発振回路１０５のＣ／Ｎを変化させて局部発振回路１０５の平均電力を低減させることができる。
【００１４】
次に、図１に示す受信機の動作について説明する。図示しないアンテナから入力されたＲＦ信号は、復調回路１０１によってＩｃｈとＱｃｈが互いに直交したベースバンド信号に復調される。そして、フィルタ回路１０２によってＩｃｈ、Ｑｃｈそれぞれのベースバンド信号から妨害波のみが抑圧され、さらに、利得制御回路１０４によってベースバンド信号のレベルが一定に保たれる。このようにして妨害波が抑圧され、かつ一定レベルに保持されたベースバンド信号は、ベースバンド信号処理回路１０３の内部に含まれるＡ／Ｄコンバータに入力される。
【００１５】
一方、局部発振回路１０５が復調回路１０１へローカル信号を供給するので、復調回路１０１では、希望波がローカル信号によって周波数変換されてベースバンド信号に復調されるのと同時に、妨害波もベースバンド信号帯域に周波数変換される。これによって、局部発振回路１０５からのローカル信号に重畳された位相雑音等の位相ノイズ信号は、復調動作の際に周波数変換された妨害波に重畳され、その位相ノイズ信号の広がりは希望波の帯域にまで達する。以下、その様子について図面を用いて説明する。
【００１６】
図２は、ＲＦ信号の希望波レベルが比較的低く妨害波レベルが比較的高い状態の復調回路１０１の入力部での希望波及び妨害波とノイズの関係を示す模式図である。なお、図２の横軸は周波数、縦軸は信号レベルを表わしている。つまり、この図は、利得制御回路１０４のＡＧＣ（Automatic Gain Controller）及びＬＮＡ（Low Noise Amplifier）のGain（利得）が大きい場合であって、希望波レベルが低く妨害波レベルが高いときの希望波と妨害波のノイズの関係を示している。
【００１７】
図２において、妨害波自体は、フィルタ回路１０２によって抑圧されてベースバンド信号処理回路１０３のベースバンド入力部（図示せず）に入力されるが、妨害波に重畳された位相雑音等の位相ノイズ信号は希望波の帯域にまで達している。この場合、ベースバンド信号処理回路１０３に入力されるベースバンド信号のレベルが下がるために、一般的には、利得制御回路１０４の利得を大きくして、ベースバンド信号の入力レベルが下がらないようにしてベースバンド信号処理回路１０３へ供給している。
【００１８】
ここで、妨害波に重畳された位相雑音等の位相ノイズ信号は、主に熱雑音が復調回路１０１、フィルタ回路１０２、及び利得制御回路１０４によって増幅されてベースバンド信号処理回路１０３のベースバンド入力部へ到達したノイズ信号（以降、このようなノイズ信号を熱ノイズ信号という）と重畳され、総合ノイズ信号となってベースバンド信号処理回路１０３へ入力される。つまり、位相ノイズ信号と熱ノイズ信号とが重畳された総合ノイズ信号がベースバンド信号処理回路１０３へ入力される。
【００１９】
また、局部発振回路１０５の位相ノイズ信号は熱雑音が増幅された熱ノイズ信号に比べて充分に低いことが望ましく、そのためには局部発振回路１０５のＣ／Ｎは充分に高い値に確保しておく必要がある。
【００２０】
図３は、希望波のレベルと妨害波のレベルの両方が比較的高い状態の復調回路１０１の入力部での希望波及び妨害波とノイズの関係を示す模式図である。なお、図３の横軸は周波数、縦軸は信号レベルを表わしている。つまり、この図は、利得制御回路１０４のＡＧＣ及びＬＮＡのGain（利得）が小さい場合であって、希望波レベルが高く妨害波レベルも高いときの希望波と妨害波のノイズの関係を示している。
【００２１】
すなわち、図３に示すように、ＲＦ信号の希望波の信号レベルと妨害波の信号レベルはほぼ等しい高さである。このような場合は、ベースバンド信号処理回路１０３に入力されるベースバンド信号の入力レベルを下げるため、一般的には利得制御回路１０４の利得は小さい。
【００２２】
一般的に、このような状態ではベースバンド信号処理回路１０３のベースバンド入力部での希望波と熱雑音が増幅された熱ノイズ信号との比は充分に大きく確保されており、ディジタル移動体通信システム上のノイズマージンは充分に余裕がある。したがって、このような状態では、妨害波に重畳されている局部発振回路１０５の位相ノイズ信号は熱ノイズ信号に比べて充分に低いので、図２に示すＲＦ信号の希望波レベルが比較的低く妨害波レベルが比較的高い状態のように局部発振回路１０５のＣ／Ｎを充分に高い値に確保する必要はなく、ディジタル移動体通信システム上で許容される希望波と総合ノイズ信号との比までノイズレベルを劣化させることができる。これは局部発振回路１０５の電流を低くすることで実現する。言い換えれば、希望波と総合ノイズ信号との比をディジタル移動体通信システムで許容できるレベルまで劣化させた分だけ、局部発振回路１０５の動作電流を低くすることができる。
【００２３】
図４は、希望波のレベルが比較的高く妨害波のレベルが比較的低い状態の復調回路１０１の入力部での希望波及び妨害波とノイズの関係を示す模式図である。なお、図４の横軸は周波数、縦軸は信号レベルを表わしている。つまり、この図は、利得制御回路１０４のＡＧＣ及びＬＮＡのGain（利得）が小さい場合であって、希望波レベルが高く妨害波レベルが低いときの希望波と妨害波のノイズの関係を示している。
【００２４】
すなわち、図４に示すように、ＲＦ信号の希望波は妨害波に比べて充分に高く、このような場合は、ベースバンド信号処理回路１０３に入力されるベースバンド信号の入力レベルを下げるため、一般的には利得制御回路１０４の利得は小さい。
【００２５】
一般的に、このような状態ではベースバンド信号処理回路１０３のベースバンド入力部での希望波と熱雑音が増幅された熱ノイズ信号との比は充分に大きく確保されており、ディジタル移動体通信システム上のノイズマージンは充分に余裕がある。さらに、妨害波の位相ノイズ信号の殆どは熱雑音が増幅された熱ノイズ信号の中に埋まっている。このような状態では、妨害波に重畳されている局部発振回路１０５の位相ノイズ信号は熱ノイズ信号に比べて充分に低いので、図２に示すＲＦ信号の希望波レベルが比較的低く妨害波のレベルが比較的高い状態のように局部発振回路１０５のＣ／Ｎを充分に高い値に確保する必要はなく、ディジタル移動体通信システム上で許容される希望波と総合ノイズ信号との比までノイズレベルを劣化させることができる。これは局部発振回路１０５の電流を低くすることで実現する。言い換えれば、希望波と総合ノイズ信号との比をディジタル移動体通信システムで許容できるレベルまで劣化させた分だけ、局部発振回路１０５の動作電流を低くすることができる。
【００２６】
以上説明したように、本発明の実施の形態１における受信機では、利得制御回路１０４の利得が比較的小さいときには、局部発振回路１０５の動作電流を低くすることができる。このことは、第１の制御Ｉ／Ｆ回路１０６が、利得制御回路１０４の利得を制御する制御信号と局部発振回路１０５の電流源を連動させて制御することによって実現させることができる。これによって、受信機の低ノイズ化と低消費電流化の両方を実現させることが可能となる。
【００２７】
〈実施の形態２〉
図５は、本発明の実施の形態２における受信機の構成を示すブロック図である。図５に示す実施の形態２の受信機は、図１に示す実施の形態１の受信機に対して、レベル比較器１０８を用いて妨害波のレベルを基準値と比較し、基準値より大きいレベルの妨害波を検出する妨害波レベル検出回路１０７が追加された構成となっている。このような構成により、第１の制御Ｉ／Ｆ回路１０６が、利得設定データと連動させて、受信信号の強弱及び妨害波レベル検出回路１０７で検出された妨害波レベルの強弱によって、局部発振回路１０５の動作電流を変化させることでＣ／Ｎを変化させ、局部発振回路の平均電力を低減させている。
【００２８】
図６は、希望波のレベルと妨害波のレベルの両方が比較的低い状態の復調回路１０１の入力部での希望波及び妨害波とノイズの関係を示す模式図である。なお、図６の横軸は周波数、縦軸は信号レベルを表わしている。つまり、この図は、利得制御回路１０４のＡＧＣ及びＬＮＡのGain（利得）が大きい場合であって、希望波レベルと妨害波レベルが共に低いときの希望波と妨害波のノイズの関係を示している。
【００２９】
すなわち、図６に示すように、ＲＦ信号の希望波のレベルと妨害波のレベルはほぼ等しい値で共に低いような場合は、ベースバンド信号処理回路１０３に入力されるベースバンド信号の入力レベルを上げるため、一般的には図２の場合と同様に利得制御回路１０４の利得は大きい。しかし、妨害波の位相ノイズ信号の殆どは熱雑音が増幅された熱ノイズ信号に埋まっている。
【００３０】
このような状態では、妨害波に重畳されている局部発振回路１０５の位相ノイズ信号は熱ノイズ信号に比べて充分に低いので、図２に示すＲＦ信号の希望波レベルが比較的低く妨害波のレベルが比較的高い状態のように局部発振回路１０５のＣ／Ｎを充分に高い値に確保する必要はなく、ディジタル移動体通信システム上で許容される希望波と総合ノイズ信号との比までノイズレベルを劣化させることができる。これは局部発振回路１０５の電流を低くすることで実現できる。言い換えれば、希望波と総合ノイズ信号との比をディジタル移動体通信システムで許容できるレベルまで劣化させた分だけ、局部発振回路１０５の動作電流を低くすることができる。
【００３１】
以上説明したように、本発明の実施の形態２における受信機では、利得制御回路１０４の利得が比較的大きく、妨害波のレベルが比較的低いときには、局部発振回路１０５の動作電流を低くすることができる。このことは、妨害波のレベルを妨害波レベル検出回路１０７によって検出し、第１の制御Ｉ／Ｆ回路１０６が、利得制御回路１０４の利得を制御する制御信号と妨害波レベル検出回路１０７で検出された妨害波のレベルとを局部発振回路１０５の電流源と共に連動させることによって実現させることができる。これによって、受信機の低ノイズ化と低消費電流化の両方を実現させることが可能となる。
【００３２】
〈実施の形態３〉
図７は、本発明の実施の形態３における受信機の構成を示すブロック図である。図７に示す実施の形態３の受信機が、図１に示す実施の形態１の受信機と異なるところは、第１の制御Ｉ／Ｆ回路１０６が、利得設定データと連動させて受信信号の強弱によって局部発振回路１０５の動作電流を変化させるのではなく、第１の制御Ｉ／Ｆ回路１０６には利得データの設定機能だけを持たせ、新たに、受信信号の強弱によって局部発振回路１０５の動作電流を変化させるための第２の制御Ｉ／Ｆ回路１０６ａを設けた点である。
【００３３】
つまり、実施の形態３の受信機では、ベースバンド信号処理回路１０３で受信信号の品質データを算出し、第２の制御Ｉ／Ｆ回路１０６ａが、受信信号の品質データの算出結果によって局部発振回路１０５の動作電流値を設定するデータに変換している。このようにして、第２の制御Ｉ／Ｆ回路１０６ａが、受信信号の品質データによって局部発振回路１０５の動作電流を変化させることでＣ／Ｎを変化させ、局部発振回路１０５の平均電力を低減させている。
【００３４】
すなわち、実施の形態３の受信機では、アンテナから入力されたＲＦ信号は復調回路１０１によってＩｃｈ、Ｑｃｈの互いに直交したベースバンド信号に復調され、さらに、フィルタ回路１０２によってＩｃｈ、Ｑｃｈそれぞれのベースバンド信号から妨害波のみが抑圧され、かつ利得制御回路１０４によって一定のレベルに保たれたベースバンド信号がベースバンド信号処理回路１０３の内部に含まれるＡ／Ｄコンバータへ入力される。また、局部発振回路１０５は復調回路１０１へローカル信号を供給している。このとき、復調回路１０１では希望波がローカル信号で周波数変換されベースバンド信号に復調されるのと同時に、妨害波もベースバンド帯域に周波数変換される。そして、ローカル信号に重畳された位相雑音等の位相ノイズ信号は復調動作の際に周波数変換された妨害波に重畳され、その位相ノイズ信号の広がりは図２に示すように希望波の帯域にまで達する。
【００３５】
ここで、ベースバンド信号処理回路１０３において、受信信号のＳ／Ｎなどからその受信信号品質データを算出し、その結果によって第２の制御Ｉ／Ｆ回路１０６ａが局部発振回路１０５の動作電流値を設定する、すなわち、Ｓ／Ｎが良好な場合にはシステム許容限界まで局部発振回路１０５の動作電流を減少させてＣ／Ｎを劣化させることにより、局部発振回路１０５の電流削減を実現させている。これによって、受信機は低ノイズ化と低消費電流化の両方を実現させることができる。
【産業上の利用可能性】
【００３６】
本発明に係る受信機は、低ノイズ化と省電力化の両方を実現することが可能であるので、電池を電源とする携帯電話機などに有効に利用することができる。
【図面の簡単な説明】
【００３７】
【図１】本発明の実施の形態１における受信機の構成を示すブロック図
【図２】希望波レベルが比較的低く妨害波のレベルが比較的高い状態の復調回路入力部での希望波及び妨害波とノイズの関係を示す模式図
【図３】希望波レベルと妨害波のレベルの両方が比較的高い状態の復調回路入力部での希望波及び妨害波とノイズの関係を示す模式図
【図４】希望波レベルが比較的高く妨害波のレベルが比較的低い状態の復調回路入力部での希望波及び妨害波とノイズの関係を示す模式図
【図５】本発明の実施の形態２における受信機の構成を示すブロック図
【図６】希望波レベルと妨害波のレベルの両方が比較的低い状態の復調回路入力部での希望波及び妨害波とノイズの関係を示す模式図
【図７】本発明の実施の形態３における受信機の構成を示すブロック図
【図８】ディジタル移動体通信システムで用いられる従来の受信機の一例を示すブロック図
【符号の説明】
【００３８】
１０１  復調回路
１０２  フィルタ回路
１０３  ベースバンド信号処理回路
１０４  利得制御回路
１０５  局部発振回路
１０６  第１の制御Ｉ／Ｆ回路
１０６ａ  第２の制御Ｉ／Ｆ回路
１０７  妨害波レベル検出回路
１０８  レベル比較器
【図１】
2007142679.tif 000003
【図２】
2007142679.tif 000004
【図３】
2007142679.tif 000005
【図４】
2007142679.tif 000006
【図５】
2007142679.tif 000007
【図６】
2007142679.tif 000008
【図７】
2007142679.tif 000009
【図８】
2007142679.tif 000010